(57)【要約】【課題】  使用されない表示画面を有効に活用する。【解決手段】  楽曲再生機器２は、ＣＤ（コンパクトディスク）に記録された楽曲の楽曲ＩＤと、楽曲再生機器２を一意に識別する機器ＩＤとを取得し、これらの情報を含む映像配信要求情報を生成して、映像配信サーバ５に送信する。映像配信サーバ５は、機器ＩＤを基に楽曲再生機器２の再生履歴を読み出し、現在再生している楽曲のＩＤと再生履歴とから適時的な映像データを選択して、楽曲再生装置２に配信する。楽曲再生装置２は、ＣＤに記録された楽曲を再生するとともに、映像配信サーバ５から配信された画像をディスプレイ３に表示させる。【選択図】図１２
2005339732.tif 000002
【特許請求の範囲】
【請求項１】
コンテンツを再生する再生手段と、
上記コンテンツを識別する情報を取得する識別情報取得手段と、
上記識別情報取得手段において取得された情報と当該データ再生装置の固有情報とをネットワーク上の情報配信サーバに送信する送信手段と、
上記情報配信サーバにおいて上記コンテンツを識別する情報と当該データ再生装置の固有情報とから選択された情報を受信する受信手段と、
上記受信手段にて受信した情報を上記再生手段で再生されるコンテンツに同期して提示する処理を行う制御手段と
を備えることを特徴とするデータ再生装置。
【請求項２】
上記コンテンツが音楽コンテンツであることを特徴とする請求項１記載のデータ再生装置。
【請求項３】
上記情報配信サーバにおいて上記識別情報取得手段で取得された情報と当該データ再生装置の固有情報とから選択される情報は、映像コンテンツであることを特徴とする請求項１記載のデータ再生装置。
【請求項４】
上記コンテンツは記録媒体に記録され、
上記記録媒体には、上記コンテンツを識別する情報として、固有情報が上記コンテンツとともに記録されていることを特徴とする請求項１記載のデータ再生装置。
【請求項５】
上記コンテンツを識別する情報は、上記コンテンツの一部であることを特徴とする請求項１記載のデータ再生装置。
【請求項６】
上記受信手段で受信した情報には、上記再生手段によって再生されるコンテンツに関連する広告情報又は商品情報が含まれることを特徴とする請求項１記載のデータ再生装置。
【請求項７】
コンテンツを識別する情報に応じて提供される情報が蓄積された情報蓄積手段と、
ネットワーク上のデータ再生装置において再生される上記コンテンツを識別する情報と該データ再生装置の固有情報とをネットワークを介して受信する受信手段と、
上記受信手段において受信された上記コンテンツを識別する情報と上記データ再生装置の固有情報に基づいて上記情報蓄積手段から対応する提供情報を選択する情報選択手段と、
上記情報選択手段において選択された提供情報をネットワーク上のデータ再生装置に送信する送信手段と
を備えることを特徴とする情報配信サーバ。
【請求項８】
上記受信手段によって受信した上記コンテンツを識別する情報と上記データ再生装置の固有情報とを、上記データ再生装置における上記コンテンツの再生履歴として記憶する記憶手段をさらに備え、
上記情報選択手段は、上記再生履歴に基づいて提供情報を選択することを特徴とする請求項７記載の情報配信サーバ。
【請求項９】
上記コンテンツが音楽コンテンツであることを特徴とする請求項７記載の情報配信サーバ。
【請求項１０】
上記コンテンツを識別する情報と上記データ再生装置の固有情報とから選択される提供情報は、上記コンテンツに対応した映像コンテンツであることを特徴とする請求項７記載の情報配信サーバ。
【請求項１１】
上記コンテンツは記録媒体に記録され、
上記記録媒体には、上記コンテンツを識別する情報として、固有情報が上記コンテンツとともに記録されていることを特徴とする請求項７記載の情報配信サーバ。
【請求項１２】
上記コンテンツを識別する情報は、上記コンテンツの一部であることを特徴とする請求項６記載の情報配信サーバ。
【請求項１３】
上記提供情報には、上記データ再生装置によって再生されるコンテンツに関連する広告情報又は商品情報が含まれることを特徴とする請求項６記載の情報配信サーバ。
【請求項１４】
コンテンツを再生するデータ再生装置と情報配信サーバとがネットワークを介して接続されたコンテンツ再生システムにおいて、
上記データ再生装置は、
コンテンツを再生する再生手段と、
上記コンテンツを識別する情報を取得する識別情報取得手段と、
上記識別情報取得手段において取得された情報と当該データ再生装置の固有情報とを上記情報配信サーバに送信する送信手段と、
上記情報配信サーバにおいて上記コンテンツを識別する情報と当該データ再生装置の固有情報とから選択された情報を受信する受信手段と、
上記受信手段にて受信した情報を上記再生手段で再生されるコンテンツに同期して提示する処理を行う制御手段とを備え、
上記情報配信サーバは、
コンテンツを識別する情報に応じて提供される情報が蓄積された情報蓄積手段と、
上記データ再生装置において再生される上記コンテンツを識別する情報と該データ再生装置の固有情報とをネットワークを介して受信する受信手段と、
上記受信手段において受信された上記コンテンツを識別する情報と上記データ再生装置の固有情報に基づいて上記情報蓄積手段から対応する提供情報を選択する情報選択手段と、
上記情報選択手段において選択された提供情報を上記データ再生装置に送信する送信手段と
を備えることを特徴とするコンテンツ再生システム。
【発明の詳細な説明】
【技術分野】
【０００１】
本発明は、データ再生装置、情報配信サーバ及びコンテンツ再生システムに関し、特に、ディスク状記録媒体に記録されたコンテンツを再生するとき再生コンテンツに関連する情報を情報配信サーバより受信してコンテンツに同期して表示するデータ再生装置、及び再生コンテンツに関連する情報を配信する情報配信サーバ、及びこのデータ再生装置と情報配信サーバで構成されるコンテンツ再生システムに関する。
【背景技術】
【０００２】
近年、映像音声再生を主眼においたＤＶＤ（Digital Versatile Disc）、ＣＤ（Compact Disc）等の大容量記録媒体の普及に伴い、家庭内には音楽再生を主たる目的としたオーディオ再生装置のほかに、いわゆるホームシアタに代表される、より高品位の映像と音響空間とを再現可能な映像音声再生システムが普及してきている。
【０００３】
上述したホームシアタを構成する映像音声再生装置の中には、例えば、ＤＶＤ、ＣＤ等、複数の記録メディアが再生可能であって、且つＤＶＤ又はＣＤに記録されて提供されるゲームプログラムも実行可能なマルチメディア機器がある。このようなマルチメディア機器は、ＤＶＤ、ＣＤの再生機能のほか、大容量のＨＤＤ（Hard Disk Drive）を備えて映像コンテンツ及び音楽コンテンツを蓄積する機能を備え、通常、テレビジョン受像機、液晶表示ディスプレイ等の外部の表示装置を表示手段として使用している。
【０００４】
ところが、このマルチメディア機器は、特に音楽コンテンツのみが記録された記録媒体を再生するとき、再生データに映像データが含まれていないため、表示装置には何も表示されないか、トラック番号又は操作用のＧＵＩ（Graphical User Interface）又はＶＯＤ（Video On-Screen Display）による背景画像等が表示されるようになっていることが多い。そのため、ユーザにとって音楽鑑賞が目的であっても、表示装置の画面が殺風景なために場の雰囲気やユーザの気分を損なうことがある。
【０００５】
これに対し、ビジュアライザと呼ばれるソフトウェアにより、音楽のリズム、ビート強弱等のスペクトルから生成される画像を表示する技術もある。しかし、ビジュアライザで生成される画像は、予め用意された基本画像の一部を音楽データに含まれるパラメータを用いて変更させるものである。そのため、ユーザが音楽の雰囲気に応じて表示画像を選択しようとしても、予め用意された基本画像の中にユーザが望む画像が含まれていない場合もある。
【０００６】
ネットワークに接続されたデータベースに接続可能で音楽コンテンツが再生可能な機器が提案されている。また、再生中の記録媒体のＴＯＣ（Table Of Contents）情報、ディスク内容を示す情報を識別情報として再生媒体の関連情報をネットワークに接続されたデータベースから取得できるようにした技術が開示されている（例えば、特許文献１参照）。
【０００７】
【特許文献１】特開２０００−３３１４６８号公報
【発明の開示】
【発明が解決しようとする課題】
【０００８】
本発明は、再生されるコンテンツによっては使用されない表示画面を有効に活用することができるデータ再生装置、データ再生装置に対して再生中のコンテンツに関連する情報を配信することができる情報配信サーバ、またコンテンツを再生しているデータ再生装置に対して再生中のコンテンツに関連する情報を配信することによって、コンテンツによっては使用されない表示画面に対してこの情報を表示することで表示画面を有効に活用することができるコンテンツ再生システムを提供することを目的とする。
【課題を解決するための手段】
【０００９】
本発明にかかるデータ再生装置は、記録媒体に記録されたコンテンツを再生する再生手段と、再生手段によって再生されたコンテンツからこのコンテンツを識別する情報を抽出する識別情報取得手段と、識別情報取得手段において抽出された情報と当該データ再生装置の固有情報とをネットワーク上の情報配信サーバに送信する送信手段と、情報配信サーバにおいてコンテンツから抽出された情報と当該データ再生装置の固有情報とから選択された情報を受信する受信手段と、受信手段にて受信した情報を再生手段で再生されるコンテンツに同期して表示する処理を行う表示制御手段とを備える。
【００１０】
これにより、データ再生装置は、再生されたコンテンツからこのコンテンツを識別する情報を抽出し、抽出された情報と当該データ再生装置の固有情報とをネットワーク上の情報配信サーバに送信し、情報配信サーバにおいて選択された情報を受信し、この受信した情報を再生手段で再生されるコンテンツに同期して表示する。受信手段で受信した情報には、再生手段によって再生されるコンテンツに関連する広告情報又は商品情報が含まれていてもよい。
【００１１】
本発明にかかる情報配信サーバは、記録媒体に記録されたコンテンツを識別する情報に応じて提供される情報が蓄積された情報蓄積手段と、ネットワーク上のデータ再生装置において再生された記録媒体から抽出されたコンテンツを識別する情報と該データ再生装置の固有情報とをネットワークを介して受信する受信手段と、記受信手段において受信されたコンテンツを識別する情報とデータ再生装置の固有情報に基づいて情報蓄積手段から対応する提供情報を選択する情報選択手段と、情報選択手段において選択された提供情報をネットワーク上のデータ再生装置に送信する送信手段と、データ再生装置からの送信要求に応じて情報選択手段における提供情報の選択と送信手段における該選択情報の送信とを制御する制御手段とを備える。
【００１２】
これにより、本発明にかかる情報配信サーバは、再生されたコンテンツからこのコンテンツを識別する情報を抽出し、抽出された情報と当該データ再生装置の固有情報とをネットワーク上の情報配信サーバに送信し、情報配信サーバにおいて選択された情報を受信し、この受信した情報を再生手段で再生されるコンテンツに同期して表示する。受信手段で受信した情報には、再生手段によって再生されるコンテンツに関連する広告情報又は商品情報が含まれていてもよい。
【００１３】
また、制御手段は、受信手段によって受信したコンテンツを識別する情報とデータ再生装置の固有情報からデータ再生装置におけるコンテンツの再生履歴を作成し、情報選択手段は、再生履歴に基づいて提供情報を選択するようにしてもよい。
【発明の効果】
【００１４】
本発明によれば、音楽コンテンツを再生する場合のように、再生されるコンテンツによっては使用されない表示画面を使って、再生されているコンテンツに関連する映像コンテンツ又は音楽コンテンツに関連する情報を提示することにより、表示画面を有効に活用することができる。
【００１５】
更に、本発明では、コンテンツを識別する情報とデータ再生装置の固有情報からデータ再生装置におけるコンテンツの再生履歴を作成し再生履歴に基づいてユーザに提供する提供情報を選択することができる。例えば、再生回数、再生コンテンツの種類に応じた広告情報又は商品情報を提示することができる。
【発明を実施するための最良の形態】
【００１６】
以下、図面を参照して本発明を適用した映像配信システム１について説明する。図１は、映像配信システム１を模式的に示している。音楽再生装置２は、動画が記録されたＤＶＤや音楽が記録されたＣＤ（コンパクトディスク）など、複数種類の光ディスクを再生することができるマルチディスクプレーヤである。音楽再生装置２は、ディスプレイ３が接続されている。音楽再生装置２は、ルータ４を介してインターネットに接続することができる。インターネット上には、映像配信サーバ５が存在する。音楽再生装置２は、再生している楽曲の識別情報を映像配信サーバ５に送信する。映像配信サーバ５は、再生している楽曲に適した映像を配信する。
【００１７】
次いで、図２を参照して音楽再生装置２の構成を説明する。音楽再生装置２は、ＣＤやＤＶＤに刻まれた情報を読み取る読取部２１と、音声を出力するスピーカ２２、物理的な伝送路との中継を行う通信インターフェース２３と、再生停止などの指示入力を受け付けるスイッチ２４と、プログラムや設定情報を記録するストレージ２５と、ストレージ２５に記録されたプログラムを処理するＣＰＵ２６と、ＣＰＵ２６のワークエリアとしてのＲＡＭ２７とを備える。音楽再生装置２は、ディスプレイ３若しくはディスプレイ３を備えた装置と接続されている。ディスプレイ３を備えた装置には、テレビ、パーソナルコンピュータなどがある。
【００１８】
ストレージ２５には、本発明にかかる処理をＣＰＵ２６に実行させるための映像取得アプリケーション６が記録されている。図３は、映像取得アプリケーション６のソフトウェア構成を示している。映像取得アプリケーション６は、ＣＤに記録された楽曲のＩＤを取得する楽曲ＩＤ取得部６１と、音楽再生装置２のＩＤを取得する機器ＩＤ取得部６２と、映像配信サーバ５に映像の配信を要求する映像配信要求部６３と、映像配信サーバ５から受信した映像の整列と復号とを行う映像受信部６４と、映像に添付された広告に対する注文を行う注文処理部６５とを備える。
【００１９】
映像配信要求部６３は、映像配信要求と配信停止要求を映像配信サーバ５に出力する。映像配信要求部６３は、ＣＤの再生開始と同時に映像配信要求を送信し、ＣＤの再生を停止するときに配信停止要求を送信する。映像配信サーバ５は、ＣＤの再生が開始してから終了するまで楽曲に適した映像を配信する。サーバ５が映像配信を開始して終了するまでの処理を図４に示す。映像配信要求部６３は、ユーザからＣＤの再生開始が指示されると（ステップＳ１１）、楽曲ＩＤ取得部６１から楽曲ＩＤ若しくはオーディオデータを取得し（ステップＳ１２）、機器ＩＤ取得部６２から機器ＩＤを取得する（ステップＳ１３）。映像配信要求部６３は、楽曲ＩＤと機器ＩＤとを含む映像配信要求情報を生成し、映像配信サーバ５に送信する（ステップＳ１４）。映像配信要求部６３は、ＣＤの再生を停止するとき、すなわち、ユーザからＣＤの停止を指示されたときや全ての楽曲が再生完了したときに（ステップＳ１５；ＹＥＳ）、映像配信サーバ５に映像配信の停止を要求する（ステップＳ１６）。一方、映像配信要求部６３は、ＣＤが再生されている間（ステップＳ１５；ＮＯ）、特別な処理は行わない。
【００２０】
楽曲ＩＤ取得部６１は、ＣＤに記述された楽曲ＩＤを検索する。楽曲ＩＤは、ＣＤのＴＯＣ（Table Of Contents）のサブコードに記録されている。サブコードは、オーディオデータを挟んだノンオーディオデータの部分である。サブコードには、時間情報、ＵＰＣ／ＥＡＮコード、ＩＳＲＣ（インターナショナル・スタンダード・レコーディング・コード）が記述されている。また、サブコードにはＣＤＴＥＸＴが記述されており、サブコードには楽曲ごとの識別情報が記述されている。
【００２１】
一方、このような楽曲ＩＤがＣＤに記述されていない場合、映像配信要求部は、オーディオデータの一部と、楽曲の再生時間情報を読み出す。読み出したオーディオデータは、映像配信サーバ５に送信される。映像配信サーバ５は、オーディオデータから楽曲ＩＤを生成する。楽曲ＩＤの生成方法は後述する。
【００２２】
機器ＩＤ取得部６２は、音楽再生装置２の機器ＩＤを取得する。機器ＩＤは、特定するユニークなＩＤである。機器ＩＤとしては、例えば、通信インターフェース２３のＭＡＣ（Media Access Control）アドレスがある。
【００２３】
映像受信部６４は、映像データをパケットから取り出し、パケットヘッダに記述されたシーケンス番号やタイムスタンプをもとに分割された映像データを整列させる。映像受信部６４は、整列した映像データを復号し、ディスプレイに表示可能な映像データに変換する。
【００２４】
注文処理部６５は、映像に添付された広告情報に対するユーザの購入指示を受け付け、購入を指示された商品、購入する商品の個数、商品の配送希望日時などの注文情報を映像配信サーバ５に送信する。なお、ここでいう商品には、ネットワークを介してやり取りされる情報も含むものとする。
【００２５】
次いで、図５を参照して映像配信サーバ５の構成について説明する。映像配信サーバ５は、映像を選択する映像選択部５１と、選択された映像を配信する映像配信部５２と、注文された商品を販売する販売処理部５３と、映像データを格納する映像データ格納部５４と、映像ＩＤと映像データの格納場所とをリンクさせる格納領域記憶部５５と、ユーザの個人情報を記憶するユーザ情報記憶部５６と、楽曲の再生履歴を記憶する再生履歴記憶部５７と、機器ＩＤとユーザの個人情報と楽曲の再生履歴とをリンクさせる機器プロファイル記憶部５８とを備える。
【００２６】
映像選択部５１は、楽曲再生装置２に配信する映像データを選択する。映像選択部５１の処理を図６に示す。映像選択部５１は、音楽再生装置２からの映像配信要求情報を入力する（ステップＳ２１）。映像選択部５１は、映像配信要求情報に楽曲ＩＤが含まれている場合（ステップＳ２２；ＹＥＳ）、楽曲ＩＤを読み出す（ステップＳ２３）。この楽曲ＩＤは、音楽再生装置２が再生している楽曲の識別情報である。
【００２７】
また、楽曲ＩＤの代わりにオーディオデータが含まれているとき（ステップＳ２２；ＮＯ）、オーディオデータから楽曲データを再生する。楽曲データの再生方法の一例を説明する。この例では、オーディオデータの組み合わせを用いる。音楽ＣＤのデータは、図７（ａ）に示すように１６ｂｉｔで量子化されたデジタルデータ列が並んでいる。映像選択部５１は、このデータ列からいくつかの数値を抽出して、抽出した数値に演算を施して特定ビット数の数値を得る。映像選択部５１は、特定ビット数の数値に楽曲の再生時間情報を付加したものを楽曲ＩＤとする。この方法には、楽曲が異なるのに同じ楽曲ＩＤが生成される可能性が確率的に０ではないという問題がある。しかしながら、抽出されるビット数を多くすれば確度を上げることができる。１２８ｂｉｔ〜２５６ｂｉｔ程度あれば実用上は問題ないと思われる。また、ＰＣＭ（Pulse Coded Modulation）データのように非圧縮のデータ列であると曲の最初は無音部分がある。無音部分を楽曲ＩＤの計算に使用するとＩＤに偏りが出て、楽曲ＩＤが重複する確率が高くなるため、ある閾値以下のデータは使用しない。オーディオデータが圧縮されている場合には、オーディオデータをそのまま楽曲ＩＤの計算に使用することができる。
【００２８】
図７（ｂ）に示す楽曲ＩＤは１２８ｂｉｔ長、先頭から３２ｂｉｔが再生時間（Duration）、残り９６ｂｉｔが生成された部分である。データ列を１００００サンプルや４４１００サンプルなどの数万サンプルごとに並べるという方法をとったのは、音声データの場合連続したデータは変化に乏しく短い時間では近い数列が続くため、離散的にデータを取得することでより楽曲ＩＤが重複する確率を抑える（ステップＳ２４）。
【００２９】
次いで、映像選択部５１は、映像配信要求に含まれる機器ＩＤを読み出す。機器ＩＤは、音楽再生装置２に一意に付加されるグローバルユニークなＩＤである。機器ＩＤとしては、例えば、映像再生装置の通信インターフェース２３に割り当てられたＭＡＣアドレスがある。また、音楽再生装置２の製造者が機器ＩＤを付加してもよい（ステップＳ２５）。
【００３０】
映像選択部５１は、機器ＩＤをキーとして機器プロファイル記憶部５８を検索する。機器プロファイル記憶部５８は、図８に示すように機器ＩＤと再生履歴とのリレーションを形成している。映像選択部５１は、機器ＩＤに対応する再生履歴を再生履歴記憶部から読み出す。再生履歴は、図９に示すように楽曲ＩＤごとの再生回数、初回再生日時、過去の再生日時などが記述されている（ステップＳ２６）。
【００３１】
映像選択部５１は、現在再生している楽曲の楽曲ＩＤ、再生履歴の内容、現在の再生時間などを基に映像を選択する。映像選択部５１が選択する映像には、特典映像や広告映像がある。特典映像は、ＣＤを購入したユーザに対してサービスとして提供する映像である。特典映像を配信することによってＣＤの付加価値が高まる。広告映像は、ＣＤを購入したユーザに別のアーティストの紹介やユーザがよく聴くアーティストの新曲やコンサートの紹介などである。新曲を紹介するときには、前回ＣＤを買った人にのみ発売日より早めに新曲が手に入るなどという特典を与えてもよい。広告映像は、ネットワークを介してユーザからの注文が受けられるような形式になっている。広告映像は、ユーザの嗜好に合わせたものであるため、テレビコマーシャルなどの不特定多数の人間に向けて配信される広告よりも効率がよい。さらに、映像選択部５１は、ＣＤを再生した日時に合わせて映像データを選択するため、タイムリーな情報を配信することができる。また、映像選択部５１は、同じ映像を何度も配信することがないように、楽曲の再生回数をカウントし、再生回数に応じて異なる画像を選択する。さらに、映像選択部５１は、ＣＤを再生する時間に合わせた付加情報を添付する。例えば、ユーザが朝の目覚ましとしてＣＤを再生しているとき、今日の天気やニュースを示す映像を添付する（ステップＳ２７）。
【００３２】
映像配信部５２は、映像選択部５１が選択した映像データを映像データ格納部５４から読み出し、音楽再生装置２に配信する。映像データの格納位置は、図１０に示す格納領域記憶部５５に記憶されている。格納領域記憶部５５は、映像ＩＤと映像の格納位置とをリンクさせている。映像配信部５２は、ストリーミングサーバである。映像配信部５２は、映像データを所定のＣＯＤＥＣで符号化し、符号化した映像データから配信ストリームを生成し、音楽再生装置２に配信する。ストリーミングは、ＣＤの再生開始と同時に開始し、ＣＤの再生を停止とともに停止する。映像配信部５２は、音楽再生装置２からの映像配信要求によりＣＤの再生開始を検出し、配信停止要求によりＣＤの再生停止を検出する。
【００３３】
販売処理部５３は、音楽再生装置２から注文情報を受信すると、機器ＩＤをキーとして機器プロファイル記憶部５８を検索する。機器プロファイル記憶部５８は、図８に示すように機器ＩＤとユーザ情報とのリレーションを形成している。ユーザ情報は、図１１に示すようにユーザの住所、氏名、電話番号、クレジットカード番号などのユーザの個人情報が記述されている。販売処理部５３は、クレジットカード会社に注文を受けた商品の課金を指示するとともに、注文を受けた商品を登録住所に配送する処理を行う。販売処理部５３における注文の受け付けは、ストリーミングが配信されている時間、すなわち、ＣＤが再生されている時間のみとする。これにより、商品の付加価値が向上するとともに、特定の商品を入手するためにユーザが何度もＣＤを再生するようになり、映像配信サーバ５の利用率が向上する。
【００３４】
次いで、図１２のフローチャートを参照して上述した構成の映像配信システム１の動作を説明する。音楽再生装置２にＣＤが挿入され、再生スイッチ２４が選択されると、音楽再生装置２はＣＤの再生を開始する（ステップＳ３１）。音楽再生装置２の楽曲ＩＤ取得部６１は、ＣＤに楽曲ＩＤが記録されているか否か検索し、楽曲ＩＤが記録されていないときには（ステップＳ３２；ＮＯ）、オーディオデータと再生時間情報を読み出す（ステップＳ３３）。一方、楽曲ＩＤが記録されているときには（ステップＳ３２；ＹＥＳ）、楽曲ＩＤを読み出す（ステップＳ３４）。次いで、機器ＩＤ取得部６２は、機器ＩＤに固有に付加された機器ＩＤを読み出す（ステップＳ３５）。
【００３５】
映像配信要求部６３は、楽曲ＩＤ若しくはオーディオデータと機器ＩＤとを含む映像配信要求情報を生成し、映像配信サーバ５に送信する（ステップＳ３６）。映像配信サーバ５の映像コンテンツ選択部は、映像配信要求情報に楽曲ＩＤが含まれていないときには（ステップＳ３７；ＮＯ）、オーディオデータ及び再生時間情報を基に楽曲ＩＤを生成する（ステップＳ３８）。
【００３６】
次いで、映像選択部５１は、現在再生している楽曲の楽曲ＩＤ、ユーザの再生履歴、現在の日時などをもとに映像を選択し、選択した映像の映像ＩＤを映像配信部５２に出力する（ステップＳ３９）。映像配信部５２は、映像ＩＤを基に映像データ格納部５４から映像データを読み出し、読み出した映像データをストリームデータに変換して音楽再生装置２に配信する（ステップＳ４０）。
【００３７】
音楽再生装置２の映像受信部６４は、ストリームデータを表示用映像データに変換してディスプレイ３に出力する（ステップＳ４１）。映像データが広告映像であり、かつ、表示された広告に対してユーザが注文を指示すると（ステップＳ４２；ＹＥＳ）、音楽再生装置２の注文処理部６５は、注文情報を映像配信サーバ５に送信し、注文を受けた映像配信サーバ５の販売処理部５３は商品の販売処理を行う（ステップＳ４３）。
【００３８】
ユーザが注文を指示しない場合には（ステップＳ４２；ＮＯ）、ＣＤが停止するまで画像を表示する。一方、ユーザからＣＤの停止スイッチ２４が選択されたり、ＣＤに含まれる楽曲を全て再生し終わったときには、ＣＤの読み取りを停止する（ステップＳ４４）。映像配信要求部６３は、ＣＤの読み取り停止を検出すると、映像配信の停止要求を映像配信サーバ５に送信する（ステップＳ４５）。映像配信サーバ５の映像配信部５２は、映像の配信を停止する（ステップＳ４６）。
【００３９】
以上説明したように本発明を適用した映像配信システム１は、音楽記録媒体であるＣＤを再生しているときに、ネットワークを介して再生している楽曲に適した画像を音楽再生装置２に配信する。
【００４０】
映像配信サーバ５は、ユーザが再生した楽曲の楽曲ＩＤと再生した日時などの再生履歴を作成し、現在再生している楽曲の楽曲ＩＤと再生履歴とを基に画像データを選択する。再生履歴を参照することにより、楽曲ＩＤのみから映像を選択するよりもユーザの嗜好を確実に分析することができる。
【００４１】
映像配信サーバ５は、ＣＤを再生しているときにのみ映像を配信する。逆をいえばＣＤを再生しないときには、映像を入手することができない。そのため、映像という付加価値がＣＤに付加されＣＤの売り上げにつながる。
【００４２】
また、映像配信サーバ５は、ＣＤを再生する日時に適した映像を選択するため、新曲やコンサート情報など適時的なプロモーションを行うことが可能である。
【００４３】
なお、上述した例ではＣＤを再生しているときに映像を配信する例を紹介したが、ＤＶＤ−Ｖｉｄｅｏのような映像と音声の両方を格納した媒体を再生するときにも本発明を適用することができる。映像と音声の両方を格納している場合には、特典情報としてＤＶＤの再生終了後に一度だけ再生させる映像データや音声データを配信したり、映像に重ねて表示するサブピクチャ情報を配信したりする。
【００４４】
また、上述した例では、映像配信サーバ５内に映像データ格納部５４を設けたが、映像配信サーバ５とは別のコンテンツホルダーにデータ格納部を設けてもよい。さらに、ユーザの個人情報の漏洩を防ぐために、映像配信サーバ５の個人情報を記憶せず、商品注文の度に音楽再生装置２から個人情報を受信するような構成にしてもよい。ユーザがクレジットカード番号などの個人情報の登録を回避したいときには、住所や電話番号、氏名などの個人情報を映像配信サーバ５に送信して代引きなどの現金による支払いを使用すればよい。商品の購入時に音楽再生装置２にユーザの個人情報を登録しておけば注文の度に個人情報を入力する手間を省略することができる。個人情報の入力方法は、特に限定しない。入力方法には、例えば、ソフトウェアキーボードで直接音楽再生装置２に入力する方法やパーソナルコンピュータと接続して入力する方法がある。
【００４５】
また、上述した例では、ＣＤに記録される音楽コンテンツを音楽再生装置２で再生し、映像配信サーバ５から画像データを配信される場合について説明したが、本発明はこれに限らず種々のコンテンツについて適用できる。例えば、再生装置２で再生するコンテンツが映像コンテンツであり、これに応じて配信サーバ５から音楽や波音のような自然音あるいはナレーションなどの音声のデータを配信し、ＢＧＭのように再生することもできる。また、映像配信サーバ５から配信されるコンテンツは、動画像や静止画像でもよいし、自然画像やコンピュータグラフィクス画像でもよく、さらにメッセージなどのテキスト情報でもよい。
【００４６】
さらに、再生コンテンツはＣＤやＤＶＤなどの記録メディアに記録されたものに限らず、例えばネットワークを介して配信される音声データや画像データであってもよく、音声放送やテレビ放送により受信されるものであってもよい。前者の場合は、図２の音楽再生装置２における通信インターフェース２３を介して再生コンテンツが配信され、ＣＰＵ２６とＲＡＭ２７によりデコード処理され再生される。後者では、読取部２１に替えて備わる、放送波を受信し復調処理を行う受信部により再生コンテンツが取り出され再生される。
【図面の簡単な説明】
【００４７】
【図１】映像配信システムの構成を示す図である。
【図２】音楽再生装置の構成を示すブロック図である。
【図３】映像取得アプリケーションのソフトウェア構成を示す図である。
【図４】映像要求部の動作を説明するフローチャートである。
【図５】映像配信サーバの構成を示すブロック図である。
【図６】映像選択部の動作を説明するフローチャートである。
【図７】オーディオデータの抽出方法を模式的に示す図である。
【図８】機器プロファイル記憶部の構成を示す図である。
【図９】再生履歴記憶部の構成を示す図である。
【図１０】格納領域記憶部の構成を示す図である。
【図１１】ユーザ情報記憶部の構成を示す図である。
【図１２】映像配信システムの動作を説明するフローチャートである。
【符号の説明】
【００４８】
１  映像配信システム、２  音楽再生装置、３  ディスプレイ、４  ルータ、５  映像配信サーバ、２１  読取部、２２  スピーカ、２３  通信インターフェース、２４  スイッチ、２５  ストレージ、２６  ＣＰＵ、２７  ＲＡＭ、５１  映像選択部、５２  映像配信部、５３  販売処理部、５４  映像データ格納部、５５  格納領域記憶部、５６  ユーザ情報記憶部、５７  再生履歴記憶部、５８  機器プロファイル記憶部、６１  楽曲ＩＤ取得部、６２  機器ＩＤ取得部、６３  映像配信要求部、６４  映像受信部、６５  注文処理部
【図１】
2005339732.tif 000003
【図２】
2005339732.tif 000004
【図３】
2005339732.tif 000005
【図４】
2005339732.tif 000006
【図５】
2005339732.tif 000007
【図６】
2005339732.tif 000008
【図７】
2005339732.tif 000009
【図８】
2005339732.tif 000010
【図９】
2005339732.tif 000011
【図１０】
2005339732.tif 000012
【図１１】
2005339732.tif 000013
【図１２】
2005339732.tif 000014